(57)【要約】【課題】  被取付部材に取外可能に装着し、本体表面に配した発光ダイオードを点滅させて学童に対するドライバーの視認性をたかめる点滅表示器である。【解決手段】  本体３内に電池ホルダ４、複数の発光ダイオード５、切替スイッチ６を組み込んで回路を形成し、該本体の前面に透明又は半透明の窓部８を有した前蓋７を着脱可能に取り付けて該切替スイッチにより回路を切換える表示器において、被取付部材２０に着脱可能に圧着して取り付ける本体３の裏面下部に設けた取付基部１０に、前記本体裏面３ａに押圧部１１を圧接させるクリップ片１５を弾発軸支させてなるものである。【選択図】  図４
0003117359.tif 000002
【実用新案登録請求の範囲】
【請求項１】
本体（３）内に電池ホルダ（４）、複数の発光ダイオード（５）、切替スイッチ（６）を組み込んで回路を形成し、該本体の前面に透明又は半透明の窓部（８）を有した前蓋
（７）を着脱可能に取り付け、該前蓋に設けた開口穴（９）から突出するボタンを有した前記切替スイッチにより回路を切替える表示器（１）において、
被取付部材（２０）に着脱可能に取り付ける本体（３）の下部裏面に設けた取付基部
（１０）に、本体裏面（３ａ）に圧着する押圧部（１１）を先端に有したクリップ片
（１２）を弾発軸支させ、
上部に滑止パッド（１４）を取り付けた前記本体裏面（３ａ）とクリップ片（１２）との間に、本体裏面（３ａ）に設けた収容室（１６）に連通する開閉可能な開口部（１５）を設けてなるランドセル用の点滅表示器。
【請求項２】
本体内（３）に電池ホルダ（４）、複数の発光ダイオード（５）、切替スイッチ（６）を組み込んで回路を形成し、該本体の前面に透明又は半透明の窓部（８）を有した前蓋
（７）を着脱可能に取り付け、該前蓋に設けた開口穴（９）から突出するボタンを有した前記切替スイッチにより回路を切替える表示器（１）において、
掛止凹部（２６）を有する位置規制プレート（２５）を裏面下部に取り付けたランドセル覆い蓋（２１）の下部に着脱可能に取り付ける本体（３）の裏面下方に設けた取付基部（１０）に、先端に設けた押圧部（１１）を前記位置規制プレートの掛止凹部（２５）内に係止させるクリップ片（１２）を弾発軸支させ、
前記本体裏面（３ａ）とクリップ片（１２）との間に、該本体裏面に設けた収容室
（１６）に連通して開閉可能な開口部（１５）を上部に設けてなるランドセル用の点滅表示器。
【請求項３】
本体（３）内に電池ホルダ（４）、複数の発光ダイオード（５）、切替スイッチ（６）を組み込んで回路を形成し、該本体の前面に透明又は半透明の窓部（８）を有した前蓋（７）を着脱可能に取り付け、該前蓋に設けた開口穴（９）から突出するボタンを有した前記切替スイッチにより回路を切替える表示器（１ａ）において、
ランドセル覆い蓋（２１）の裏面下部に一方の平面ファスナー（３１ａ）と、先端に前記平面ファスナーと接離可能に接着する他方の平面ファスナー（３１ｂ）を設けた柔軟なベルト（３２）の一端とを取り付け、
後部中央に形成した切欠凹部（３８）の上部に凹状係止部（３７）と連結片（４０）とを有して両側にそれぞれ保持片（３９、３９）を設けて前記本体と一体又は別体に設けた後部保持体（３５）を、上部に滑止パッド（１４）を設けた本体裏面（３ａ）に接近するように折り曲げて前記保持片（３９、３９）に弾力性を具有させた該後部保持体（３５）の内部に設けた収容室（１６）に連通する開口部（１５）を上部に形成し、
前記凹状係止部（３７）に挿通させたベルトを前記平面ファスナーに接着固定すると共に、前記開口部（１５）から収容室（１６）内に挿入したランドセル覆い蓋（２１）を前記本体裏面と後部保持体とで挟持させるようにしてなるランドセル用の点滅表示器。
【請求項４】
本体（３）内に電池ホルダ（４）、複数の発光ダイオード（５）、切替スイッチ（６）を組み込んで回路を形成し、該本体の前面に透明又は半透明の窓部（８）を有した前蓋
（７）を着脱可能に取り付け、該前蓋に設けた開口穴（９）から突出したボタンを有する前記切替スイッチにより回路を切替える表示器（１ｂ）において、
ランドセル覆い蓋（２１）の裏面下部に一方の平面ファスナー（３１ａ）と、先端に前記平面ファスナーと接離可能に接着する他方の平面ファスナー（３１ｂ）を設けた柔軟なベルト（３２）の一端とを取り付け、
後部中央に形成した切欠凹部（３８）の上部に凹状係止部（３７）と連結片（４０）とを有して両側にそれぞれ保持片（３９、３９）を設けて前記本体と一体又は別体に設けた後部保持体（３５）を、上部に滑止パッド（１４）を設けた本体裏面（３ａ）に接近するように折り曲げて前記保持片（３９、３９）に弾力性を具有させた該後部保持体（３５）の内部に設けた収容室（１６）に連通する開口部（１５）を上部に形成し、
前記凹状係止部（３７）に挿通させたベルトを前記面ファスナーに接着固定すると共に、前記開口部（１５）から収容室（１６）内に挿入したランドセル覆い蓋（２１）を前記本体裏面（３ａ）と後部保持体（３５）とで挟持させ、前記保持片（３９、３９）に設けたねじ孔（３９ａ，３９ａ）に螺合させた締付ねじ（４１、４１）により圧着固定するようにしてなるランドセル用の点滅表示器。
【考案の詳細な説明】
【技術分野】
【０００１】
本考案は、本体に設けた発光ダイオードを点滅させて光が変化するアクセサリーである表示器をランドセル覆い蓋等に着脱可能に装着する点滅表示器に関するものである。
【背景技術】
【０００２】
小学生低学年は自分の体に比べて大きくて嵩張るランドセルを背負って学校に通学しているが、最近、車両の数が増加して道路が渋滞すると共に、通学路にも渋滞を回避するため通行する車両が増加しており、その上、ドライバーのマナーの悪さや乱暴な運転などで学童が交通事故に遭遇する数は意外と多いという現実がある。
【０００３】
さらに、学校が終った後に学習塾に通う学童が多く、帰宅が遅くなって夕暮時や夜間になることもある。この場合、夕暮時に道路を歩行している学童はドライバーからは極めて見難い。特に雨が降っている場合には、傘を差して歩行している学童の後ろ姿は、黄色い帽子を被っていても傘で隠れてしまい、後方から走行してくる車両ドライバーにとって判別しにくいという問題点を有していた。
【０００４】
それらの欠点を是正するため、例えば、ランドセル覆い蓋や背負ベルト表面の一部などに反射材を取り付けたり（特許文献１）、ランドセルの覆い蓋を外側から覆うランドセル用カバーに反射テープを取り付けたり（特許文献２）、さらには、ランドセルの側面部分の両襠面及び前段を環回した細い緊締帯材に反射材を装着したものが市場に出回っている。しかし、これらは車両などからの光を反射する反射テープや反射板をランドセルの所定箇所に固定したもので、この反射テープや反射板は車両の前照灯などの光源に照らされないと機能しない。その上、反射テープの表面で反射した光は同じであって変化しないため、ドライバーからは視認し難いという問題点を有していた。
【特許文献１】実用新案登録第３０７４８３１号公報
【特許文献２】実用新案登録第３０７７２７８号公報
【０００５】
さらに、光を点滅する発光ダイオードを用いた表示器としては、例えばキーホルダーのような小型のものは存在する（特許文献３および４）が、ランドセルなどに着脱可能に取り付ける表示器は見当らなかった。
【特許文献３】登録実用新案第３０２３２０２号公報
【特許文献４】実開平０５−５５４０２号公報
【考案の開示】
【考案が解決しようとする課題】
【０００６】
本考案が解決しようとする課題は、目立つように複数の光を交互に点滅させて光が変化するアクセサリ−である表示器を、ランドセルなどの所望箇所に着脱可能に簡単に取り付けられるようにし、また、必要に応じてランドセルから外して、学童の服や帽子やレインコート、さらには、カバンの肩掛ベルトなどに簡単に取付けられるようにし、学童の存在を目立たせて交通事故の発生を防止できるようにすることを課題とするものである。
【課題を解決するための手段】
【０００７】
請求項１の考案は、本体３内に電池ホルダ４、複数の発光ダイオード５、切替スイッチ６を組み込んで回路を形成し、該本体の前面に透明又は半透明の窓部８を有した前蓋７を着脱可能に取り付け、該前蓋に設けた開口穴９から突出するボタンを有した前記切替スイッチにより回路を切換える表示器１において、被取付部材２０に着脱可能に取り付ける本体３の裏面下部に設けた取付基部１０に、本体裏面３ａに圧着する押圧部１１を先端に有したクリップ片１２を弾発軸支させ、上部に滑止パッド１４を取り付けた前記本体裏面３ａとクリップ片１２との間に、本体裏面３ａに設けた収容部１６に連通する開閉可能な開口部１５を設けてなるものである。
【０００８】
そのため、被取付部材２０としてランドセル覆い蓋２１に限らず、カバンの背負ベルトや学童の洋服の所望箇所やカバンの肩掛ベルトなどに取り付けることもできる。また、必要に応じてランドセル覆い蓋の下部や両側に複数個の表示器を取り付けることもできる。その上、クリップ操作により簡単に脱着できて便利である。発光ダイオードの前部に設けた窓部は透明又は半透明であるから発光ダイオードの光の点滅は外部から容易に確認することができる。
【０００９】
請求項２の考案は、本体内３に電池ホルダ４、複数の発光ダイオード５、切替スイッチ６を組み込んで回路を形成し、該本体の前面に透明又は半透明の窓部８を有した前蓋７を着脱可能に取り付け、前蓋に設けた開口穴９から突出するボタンを有した前記切替スイッチにより回路を切換える表示器１において、掛止凹部２６を有する位置規制プレート２５を裏面下部に取り付けたランドセル覆い蓋２１の下部に着脱可能に取り付ける本体３の裏面下方に設けた取付基部１０に、先端に設けた押圧部１１を前記位置規制プレートの掛止凹部２５内に係止させるクリップ片１２を弾発軸支させ、前記本体裏面３ａとクリップ片
１２との間に、該本体裏面３ａに設けた収容室１６に連通して開閉可能な開口部１５を上部に設けたものである。
【００１０】
それゆえ、ランドセル覆い蓋２１の下部裏面に、上部中間に掛止凹部２６を有した位置規制プレート２５を取り付けてあるため、表示器のクリップ片の押圧部１１を該掛止凹部２６内に位置させて圧着すれば、該掛止凹部２６の両側の立上壁によってクリップ片の先端に設けた押圧部１１が左右方向に移動するのを規制し、表示器を確実に固定することができ、また、クリップ操作のためこの表示器の脱着操作が容易である。
【００１１】
請求項３の考案は、本体３内に電池ホルダ４、複数の発光ダイオード５、切替スイッチ６を組み込んで回路を形成し、該本体の前面に透明又は半透明の窓部６ａを有した前蓋７を着脱可能に取り付け、前蓋に設けた開口穴９から突出するボタンを有した前記切替スイッチにより回路を切換える表示器１ａにおいて、ランドセル覆い蓋２１の裏面下部に一方の平面ファスナー３１ａと、先端に前記平面ファスナーと接離可能に接着する他方の平面ファスナー３１ｂを設けた柔軟なベルト３２の一端とを取り付け、後部中央に形成した切欠凹部３８の上部に凹状係止部３７と連結片４０とを有して両側にそれぞれ保持片３９、３９を設けて前記本体と一体又は別体に設けた後部保持体３５を上部に滑止パッド１４を設けた本体裏面３ａに接近するように折り曲げて前記保持体３９、３９に弾力性を具有させた該本体裏面３ａの内部に設けた収容室１６に連通する開口部１５を上部に形成し、前記凹状係止部３７に挿通させたベルトを前記平面ファスナーに接着固定すると共に、前記開口部１５から収容室１６内に挿入したランドセル覆い蓋２１を前記本体裏面３ａと後部保持体３５とで挟持させるようにしてなるものである。
【００１２】
そのため、内部に収容室１６を有した後部保持体３５の両側に設けた保持片３９、３９を本体裏面３ａに接近するように折り曲げて該保持片３９、３９に弾力性を具有してあるので、ランドセル覆い蓋２１を開口部１５で圧着固定し、さらに凹状係止部３７に挿通させたベルトを平面ファスナーに接着固定して、表示器を確実に保持することができる。
【００１３】
請求項４の考案は、本体３内に電池ホルダ４、複数の発光ダイオード５、切替スイッチ６を組み込んで回路を形成し、該本体の前面に透明又は半透明の窓部８を有した前蓋７を着脱可能に取り付け、該前蓋７に設けた開口穴９から突出するボタンを有した前記切替スイッチにより回路を切換える表示器において、ランドセル覆い蓋２１の裏面下部に一方の平面ファスナー３１ａと、先端に前記平面ファスナーと接離可能に接着する他方の平面ファスナー３１ｂを設けた柔軟なベルト３２の一端とを取り付け、後部中央に形成した切欠凹部３８の上部に凹状係止部３７と連結片４０とを有して両側にそれぞれ保持片３９、３９を設けて前記本体と一体又は別体に設けた後部保持体３５を、上部に滑止パッド１４を設けた本体裏面３ａに接近するように折り曲げて前記保持片３９、３９に弾力性を具有させて該後部保持体３５の内部に設けた収容室１６に連通する開口部１５を上部に形成し、前記凹状係止部３７に挿通させたベルトを前記面ファスナーに接着固定すると共に、前記開口部１５から収容室１６内に挿入したランドセル覆い蓋２１を前記本体裏面３ａと後部本体３５とで挟持させ、前記保持片３９、３９に設けたねじ孔３９ａ、３９ａに螺合させた締付ねじ４１、４１により圧着固定するようにしてなるものである。
【００１４】
それゆえ、後部保持体３５の両側に位置する保持片３９、３９に設けたねじ孔３９ａ、３９ａに螺合させた締付ねじ４１、４１を締め付けて前記ランドセル覆い蓋２１を確実に圧着固定して表示器をランドセル覆い蓋２１の下部に取り付けることができる。さらに凹状係止部３７に挿通させたベルトを平面ファスナーに固定してあるので、表示器を確実に保持することができる。
【考案の効果】
【００１５】
複数の発光ダイオードを交互に点滅させて光を変化させて一段と目立つアクセサリーである表示器を用いるため、単なる反射板や反射テープに比べて一段と視認性を向上させることができ、この表示器をランドセル覆い蓋の下部などに取り付ければ、ドライバーにとって学童の存在を確認しやすいという利点がある。しかも、構造が簡単で着脱が容易であるので使用しやすい。さらにキーホルダーのように吊下げてなくランドセル覆い蓋２１の下部表面に取り付けてあるため、該表示器が裏返しになることがなく、点滅する光を確実に前方に発光することができるため、ドライバーは学童の存在を確認できる利点がある。
【考案を実施するための最良の形態】
【００１６】
本考案を図面により説明すると、図１は本考案の第１の実施形態を示したもので、点滅表示器をランドセル覆い蓋の下部に取り付けた状態の正面図、図２は点滅表示器の正面図、図３は同点滅表示器の側面図、図４はランドセル覆い蓋の下部に点滅表示器を取り付けた状態の一部破断した側面図、図５はランドセル覆い蓋の裏面下部に位置確定プレートを取り付けた状態を示す説明図である。
【００１７】
１は複数の発光ダイオードを交互に点灯させて光が変化するアクセサリーである点滅表示器（以下表示器という）で、合成樹脂材で形成した本体３の内部に、電池ホルダ４、複数の発光ダイオード５、切替操作するため外部に突出したボタンを有する切替スイッチ６を収容して電気的に接続して制御用の回路を形成し、該本体の前部には中央部分に透明又は半透明状の窓部８を設け、下方に切替スイッチのボタンを外部に突出させる開口穴９を設けた前蓋７を着脱可能に取付けてある。この開口穴９を設ける位置は、前蓋７の下側に限らず側部側や上側でもよく、さらに、前蓋または本体の側端面でもよい。
【００１８】
本体裏面３ａの下部には底部をなす取付基部１０を前記本体と一体または別体に設け、該取付基部１０の端部に、先端には前面に突起を具えた押圧部１１を有したクリップ片１２にバネを装着してピン１３を前方に弾発して軸支し、該クリップ片の押圧部１１を本体裏面３ａに圧着するように弾発してある。このクリップ片の後部平面に凹凸又は波状をした滑止部１２ａを設けてある。また、１４は合成ゴムまたは合成樹脂材などの柔軟部材からなり、本体裏面３ａの上部に接着した滑止パッドで、ランドセル覆い蓋の一側（外側）を該滑止パッド１４に当接させ、該覆い蓋２１の他側（内側）からクリップ片１２の押圧部１１で圧着固定して該覆い蓋を保持するものである。
【００１９】
２０は学童の制服や鞄などの背負ベルト等の被取付部材で、その代表例であるランドセル覆い蓋２１の下部裏面に、中央上部に掛止凹部２６を設けた位置規制プレート２５を取り付けてもよく、この掛止凹部２６は前記押圧部１１の横巾より広く形成してある。そして、該ランドセル覆い蓋２１はその周縁部分を縁取片２２で包み込んで縫い糸２３で縫着してある。
【００２０】
本考案の作用について説明すると、光が変化して目立つアクセサリーである点滅表示機１のクリップ片１２の後部に設けた滑止部１２を、図３に矢印で示すように下方に押すと押圧部１１は後退して本体裏面３ａと該押圧部１１との間の開口部１５を開口させ、本体裏面３ａの底部となる取付基部１０を備えて設けた収容室１６の内部まで前記ランドセル覆い蓋２１の下部を差し込み、又は、該覆い蓋２１の下端に向って点滅表示器１を上向きに差し込んで収容室１６内に収容した後、クリップ片１２から手を離せば、バネの弾発力により押圧部１１と本体裏面３ａとの間にランドセル覆い蓋３０を圧着固定することができる。該クリップ片１２はその後部をバネの弾発力に抗して押圧するだけで開口部１５を開口し、ランドセル覆い蓋３０に限ることなく学童の制服やレインコートやカバンなどの背負ベルトに簡単に取り付けることができる。
【００２１】
さらに、図５に示すように、ランドセル覆い蓋２１の裏面下部に中央に掛止凹部２６を有した位置規制プレート２５を取り付けてあれば、該クリップ片の押圧部１１を該掛止凹部２６内に合致させて取り付けることにより、該覆い蓋２１に圧着した前記クリップ片１２に左右方向に力が加わっても前記掛止凹部２６の両側壁に規制されてそれ以上移動できないので、点滅表示器１を所定位置に取り付けておくことができる。
【００２２】
第２の実施形態を図６〜８に基いて説明すると、ランドセル覆い蓋２１の裏面下部に基板３０を取り付け、該基板上に一方の平面ファスナー３１ａを取り付け、さらに、該平面ファスナーの下方に、柔軟でやや長く形成したベルト３２の先端部分に前記平面ファスナー３１ａと接離可能に接着する他方の平面ファスナー３１ｂを取付けてある。
【００２３】
点滅表示器１ａを構成する本体３と一体または別体に本体裏面３ａの底部に連続して形成した後部保持体３５の中間部分に設けた切欠凹部３８は、上部中央に通路３６を有した細巾の凹状係止部３７と補強用の連結片４０とを設け、該後部保持体３５の両側にそれぞれ保持片３９、３９を形成してある。この切欠凹部３８の中間に設けた連結片４０と上部に設けた前記凹状係止部３７とで両保持片３９、３９を連結してあり、さらに、該後部保持体３５を本体裏面３ａ側に近付けるように折り曲げて該保持片３９、３９にそれぞれ弾力性を具有させるように構成してある。
【００２４】
第２の実施形態の作用について説明すると、前記ランドセル覆い蓋２１の下端を前記表示器の開口部１７内の挿入させると該覆い蓋２１と後部保持体３５との間に隙間はほとんど無いが、該後部保持体３５の上部に設けた凹状係止部３７には通路３６を設けてある。そのため、前記覆い蓋２１の下部裏面に設けたベルト３２の先端を該通路３６内に挿入し、さらに、外側から上方に折返すように該ベルトの先端を引き上げて前記覆い蓋２１の下部を表示器の収容室１６内に収容する。ついで、該ベルト先端の平面ファスナー３１ｂを前記平面ファスナー３１ａに接着し、このように種類の異なる方式で表示器１ａをランドセル覆い蓋２１の下部に取り付けるため確実に取り付けて紛失を防止できる。
【００２５】
第３の実施形態を図９〜１１に基いて説明すると、前記後部保持体３５側に設けた各保持片３９、３９の上方に設けたねじ孔３９ａに螺合させた締付ねじ４１を締め付けることにより、滑止パッド１４を設けた本体裏面３ａと締付ねじ４１の締付けとによって、ランドセル覆い蓋２１を単に本体裏面３ａと後部保持体３５とで挟持するだけでなく圧着固定し、その上、表示器１ｂの裏面に設けた後部保持体２５の凹状係止部３７の通路３６を挿通させて平面ファスナー３１ａ、３１ｂを接着固定し、締付ねじ４１を回動させる手間はかかるが、この表示器１ｂをランドセル覆い蓋２１に取り付けることができる。
【図面の簡単な説明】
【００２６】
【図１】本考案の第１の実施形態を示したもので、点滅表示器をランドセル覆い蓋の下部に取り付けた状態の正面図である。
【図２】本考案に係る点滅表示器の正面図である。
【図３】同点滅表示器の側面図である。
【図４】ランドセル覆い蓋の下部に点滅表示器を取り付けた状態の一部破断した側面図である。
【図５】ランドセル覆い蓋の裏面下部に位置確定プレートを取り付けた状態を示す説明図である。
【図６】本考案の第２の実施形態を示すのもので、ランドセル覆い蓋の裏面下部に設け掛止部に第２の点滅表示器を取り付ける前の状態を示す説明図である。
【図７】図６のＡ―Ａ線方向断面図である。
【図８】ランドセル覆い蓋に設けた掛止具に第２の点滅表示器を取り付けた状態の覆い蓋の裏面を示す参考図である。
【図９】本考案の第３の実施形態に於ける第３の点滅表示器の背面方向からの斜視図である。
【図１０】図９のＢ−Ｂ線方向の一部破断した側面図である。
【図１１】第３の点滅表示器をランドセル覆い蓋に取り付けた状態の一部判断した側面図である。
【符号の説明】
【００２７】
１      点滅表示器
３      本体
３ａ    本体裏面
４      電池ホルダ
５      発光ダイオード
６      切替スイッチ
７      前蓋
８      窓部
９      開口窓
１０      取付基部
１１      押圧部
１２      クリップ片
１４      滑止パッド
１５      開口部
１６      収容室
２０      被取付部材
２１      ランドセル覆い蓋
２５      位置規制プレート
２６      掛止凹部
３１ａ    平面ファスナー
３１ｂ    平面ファスナー
３２      ベルト
３５      後部保持体
３７      凹状係止部
３８      切欠凹部
３９      保持片
３９ａ    ねじ孔
４０      連結片
４１      締付ねじ
【図１】
0003117359.tif 000003
【図２】
0003117359.tif 000004
【図３】
0003117359.tif 000005
【図４】
0003117359.tif 000006
【図５】
0003117359.tif 000007
【図６】
0003117359.tif 000008
【図７】
0003117359.tif 000009
【図８】
0003117359.tif 000010
【図９】
0003117359.tif 000011
【図１０】
0003117359.tif 000012
【図１１】
0003117359.tif 000013